(57)【要約】【課題】所定部位が予め定められた設置部位に設置されているときの誤操作による誤作動を防止することができる可搬型放射線画像撮影装置及び放射線画像撮影システムを提供する。【解決手段】電子カセッテ２０が、放射線画像撮影に関する複数の異なる機能から目的とする機能を選択する際に操作される操作部５０と、筐体が手術台の予め定められた位置に装着されたことを示す第１条件が成立したときに、操作部５０に対する操作による制御を無効にする機能が選択されるように制御すると共に、筐体が手術台の予め定められた位置に装着されていないことを示す第２条件が成立したときに、操作部５０に対する操作による制御を有効にする機能が選択されるように制御するカセッテ制御部１２０と、を備える。【選択図】図５
2010128469.tif 000002
【特許請求の範囲】
【請求項１】
放射線画像撮影に関する複数の異なる機能から目的とする機能を選択する際に操作される操作手段と、
所定部位が予め定められた載置部に載置されたことを示す第１条件が成立したときに、前記第１条件が成立しているときに有効とすべき機能が選択されるように制御すると共に、前記所定部位が前記載置部に載置されていないことを示す第２条件が成立したときに、前記第２条件が成立しているときに有効とすべき機能が選択されるように制御する制御手段と、
前記操作手段が操作された際に、前記制御手段によって選択されるように制御された機能を実行する実行手段と、
を含む可搬型放射線画像撮影装置。
【請求項２】
放射線画像撮影に関する複数の異なる機能から目的とする機能を選択する際に操作される操作手段と、
所定部位が予め定められた載置部に載置されたことを示す第１条件が成立したときに、前記操作手段に対する操作による制御を無効にする機能が選択されるように制御すると共に、前記所定部位が前記載置部に載置されていないことを示す第２条件が成立したときに、前記操作手段に対する操作による制御を有効にする機能が選択されるように制御する制御手段と、
前記操作手段が操作された際に、前記制御手段によって選択されるように制御された機能を実行する実行手段と、
を含む可搬型放射線画像撮影装置。
【請求項３】
請求項１に記載の可搬型放射線画像撮影装置と、
前記第１条件が成立したときに、前記可搬型放射線画像撮影装置との間で通信を行うことにより前記第２機能を前記実行手段に対して実行させる通信装置と、
を含む放射線画像撮影システム。
【請求項４】
請求項２に記載の可搬型放射線画像撮影装置と、
前記第１条件が成立したときに、前記可搬型放射線画像撮影装置との間で通信を行うことにより前記操作手段に対する操作による制御を有効にする機能を前記実行手段に対して実行させる通信装置と、
を含む放射線画像撮影システム。
【発明の詳細な説明】
【技術分野】
【０００１】
本発明は、可搬型放射線画像撮影装置及び放射線画像撮影システムに関する。
【背景技術】
【０００２】
近年、ＴＦＴ（thin film transistor）アクティブマトリクス基板上に放射線感応層を配置し、放射線を直接デジタルデータに変換できるＦＰＤ（flat panel detector）が実用化されており、このＦＰＤ等を用いて、照射された放射線により表わされる放射線画像を示す画像情報を生成し、生成した画像情報を予め定められた記憶領域に記憶することにより撮影を行う可搬型放射線画像撮影装置（以下、「電子カセッテ」とも言う。）が実用化されている。
【０００３】
ところで、この種の電子カセッテには、スイッチやキー、タッチパネルなどからなり、ＦＰＤやその他に電子カセッテに実装されている電子機器を制御するための入力操作を受け付ける操作部が備えられている。しかし、電子カセッテが撮影台に装着されているときに操作部が誤操作されることにより誤作動してしまう虞があった。
【０００４】
電子カセッテの誤操作を防止する技術として特許文献１には、画面切替えキーを備えた電子カセッテが移動状態である場合に画面切替えキーを使用不能にすることにより移動中の誤操作を防止する技術が開示されている。また、特許文献２には、電子カセッテを撮影台に装着したときの操作性に関する技術が開示されている。
【特許文献１】特開２００６−１５８５０８号公報
【特許文献２】特開２００５−２１１２２６号公報
【発明の開示】
【発明が解決しようとする課題】
【０００５】
しかしながら、特許文献１及び特許文献２の技術では、電子カセッテが撮影台に載置されているときの電子カセッテに対しての誤操作による誤作動を防止することができない、という問題点があった。
【０００６】
本発明は上記問題点を解決するために成されたものであり、所定部位が予め定められた載置部に載置されているときの誤操作による誤作動を防止することができる可搬型放射線画像撮影装置及び放射線画像撮影システムを提供することを目的とする。
【課題を解決するための手段】
【０００７】
上記目的を達成するために、請求項１に記載の可搬型放射線画像撮影装置は、放射線画像撮影に関する複数の異なる機能から目的とする機能を選択する際に操作される操作手段と、所定部位が予め定められた載置部に載置されたことを示す第１条件が成立したときに、前記第１条件が成立しているときに有効とすべき機能が選択されるように制御すると共に、前記所定部位が前記載置部に載置されていないことを示す第２条件が成立したときに、前記第２条件が成立しているときに有効とすべき機能が選択されるように制御する制御手段と、前記操作手段が操作された際に、前記制御手段によって選択されるように制御された機能を実行する実行手段と、を含んで構成されている。
【０００８】
請求項１に記載の可搬型放射線画像撮影装置によれば、操作手段が放射線画像撮影に関する複数の異なる機能から目的とする機能を選択する際に操作され、制御手段により、所定部位が予め定められた載置部に載置されたことを示す第１条件が成立したときに、前記第１条件が成立しているときに有効とすべき機能が選択されるように制御されると共に、前記所定部位が前記載置部に載置されていないことを示す第２条件が成立したときに、前記第２条件が成立しているときに有効とすべき機能が選択されるように制御され、実行手段により、前記操作手段が操作された際に、前記制御手段によって選択されるように制御された機能が実行される。
【０００９】
このように、請求項１に記載の可搬型放射線画像撮影装置によれば、所定部位が予め定められた載置部に載置されたことを示す第１条件が成立したときに、第１条件が成立しているときに有効とすべき機能が選択されるように制御し、所定部位が予め定められた載置部に載置されていないことを示す第２条件が成立したときに、第２条件が成立しているときに有効とすべき機能が選択されるように制御し、選択されるように制御された機能を操作手段が操作された際に実行するので、所定部位が予め定められた載置部に載置されているときの誤操作による誤作動を防止することができる。
【００１０】
一方、上記目的を達成するために、請求項２に記載の可搬型放射線画像撮影装置は、放射線画像撮影に関する複数の異なる機能から目的とする機能を選択する際に操作される操作手段と、所定部位が予め定められた載置部に載置されたことを示す第１条件が成立したときに、前記操作手段に対する操作による制御を無効にする機能が選択されるように制御すると共に、前記所定部位が前記載置部に載置されていないことを示す第２条件が成立したときに、前記操作手段に対する操作による制御を有効にする機能が選択されるように制御する制御手段と、前記操作手段が操作された際に、前記制御手段によって選択されるように制御された機能を実行する実行手段と、を含んで構成されている。
【００１１】
請求項２に記載の可搬型放射線画像撮影装置によれば、操作手段が放射線画像撮影に関する複数の異なる機能から目的とする機能を選択する際に操作され、制御手段により、所定部位が予め定められた載置部に載置されたことを示す第１条件が成立したときに、前記操作手段に対する操作による制御を無効にする機能が選択されるように制御されると共に、前記所定部位が前記載置部に載置されていないことを示す第２条件が成立したときに、前記操作手段に対する操作による制御を有効にする機能が選択されるように制御され、実行手段により、前記操作手段が操作された際に、前記制御手段によって選択されるように制御された機能が実行される。
【００１２】
このように、請求項２に記載の可搬型放射線画像撮影装置によれば、所定部位が予め定められた載置部に載置されたことを示す第１条件が成立したときに、操作手段に対する操作による制御を無効にする機能が選択されるように制御し、所定部位が予め定められた載置部に載置されていないことを示す第２条件が成立したときに、操作手段に対する操作による制御を有効にする機能が選択されるように制御し、選択されるように制御された機能を操作手段が操作された際に実行するので、所定部位が予め定められた載置部に載置されているときの誤操作による誤作動を防止することができる。
【００１３】
一方、上記目的を達成するために、請求項３に記載の放射線画像撮影システムは、請求項１に記載の可搬型放射線画像撮影装置と、前記第１条件が成立したときに、前記可搬型放射線画像撮影装置との間で通信を行うことにより前記第２機能を前記実行手段に対して実行させる通信装置と、を含んで構成されている。
【００１４】
従って、本発明の放射線画像撮影システムは、本発明の請求項１に記載の可搬型放射線画像撮影装置と同様に作用するので、当該可搬型放射線画像撮影装置と同様の効果を得ることができる。また、可搬型放射線画像撮影装置の所定部位が予め定められた載置部に載置されたことを示す第１条件が成立しているときには操作手段を用いずに通信により第２機能を実行させることができる。
【００１５】
一方、上記目的を達成するために、請求項４に記載の放射線画像撮影システムは、請求項２に記載の可搬型放射線画像撮影装置と、前記第１条件が成立したときに、前記可搬型放射線画像撮影装置との間で通信を行うことにより前記操作手段に対する操作による制御を有効にする機能を前記実行手段に対して実行させる通信装置と、を含んで構成されている。
【００１６】
従って、本発明の放射線画像撮影システムは、本発明の請求項２に記載の可搬型放射線画像撮影装置と同様に作用するので、当該可搬型放射線画像撮影装置と同様の効果を得ることができる。また、可搬型放射線画像撮影装置の所定部位が予め定められた載置部に載置されたことを示す第１条件が成立しているときには通信により操作手段に対する操作による制御を有効にする機能を実行させることができる。
【発明の効果】
【００１７】
本発明によれば、所定部位が予め定められた載置部に載置されているときの誤操作による誤作動を防止することができる、という効果が得られる。
【発明を実施するための最良の形態】
【００１８】
以下、図面を参照して本発明を実施するための最良の形態について詳細に説明する。
【００１９】
〔第１の実施形態〕
【００２０】
先ず、本実施形態に係る放射線画像撮影システム１０（以下、「撮影システム１０」とも称する。）の構成について説明する。図１には、本実施形態に係る撮影システム１０を配置した様子の一例として、撮影システム１０が手術室内に設置された様子が示されている。
【００２１】
撮影システム１０は、医師１２や放射線技師の操作により放射線画像の撮影を行うものである。撮影システム１０は、患者１４が載置される手術台１６と、撮影条件に従った放射線量からなる放射線Ｘを患者１４に照射する放射線照射装置１８と、患者１４を透過した放射線Ｘを検出し、検出した放射線量に応じた放射線画像を示す画像情報を予め定められた記憶領域に記憶することにより撮影を行う電子カセッテ２０と、電子カセッテ２０で撮影して得られた放射線画像を表示する表示装置２２と、電子カセッテ２０に内蔵されるバッテリ４４（図２参照。）を充電するクレードル２４と、放射線照射装置１８、電子カセッテ２０及び表示装置２２を制御するコンソール２６と、を備えている。なお、本実施形態に係る撮影システム１０では、放射線照射装置１８、電子カセッテ２０及び表示装置２２と、コンソール２６との間で、電波による無線通信が行われるが、これに限らず、赤外線等を用いた光無線通信が行われてもよい。
【００２２】
図１に示される手術室では、撮影システム１０に加えて、医師１２が手術に使用する各種器具が載置される器具台２８が手術台１６の側部に配置される。また、手術台１６の周りには、麻酔器、吸引器、心電計、血圧計等、手術に必要な様々な機器が配置される（これらの機器は、図１では省略されている。）。
【００２３】
放射線照射装置１８は、自在アーム３０に連結され、患者１４の撮影部位に応じた所望の位置に移動可能であると共に、医師１２による手術の邪魔とならない位置に待避可能である。同様に、表示装置２２は、自在アーム３２に連結され、撮影された放射線画像を医師１２が容易に確認できる位置に移動可能である。
【００２４】
図２には、本第１の実施形態に係る電子カセッテ２０の構成を示す破断斜視図が示されている。
【００２５】
同図に示すように、電子カセッテ２０は、放射線Ｘを透過させる材料からなる筐体３４を備えている。筐体３４の内部には、撮影装置３６が収納されており、撮影装置３６を構成する部材として、放射線Ｘが照射される筐体３４の照射面３５側から、患者１４による放射線Ｘの散乱線を除去するグリッド３８、患者１４を透過した放射線Ｘを検出する放射線検出器４０、及び放射線Ｘのバック散乱線を吸収する鉛板４２が順に配設されている。また、撮影装置３６は、電子カセッテ２０の電源であるバッテリ４４と、バッテリ４４から供給される電力により放射線検出器４０を駆動制御する電子カセッテ制御部４６と、放射線検出器４０によって検出した放射線Ｘの情報を含む信号をコンソール２６との間で送受信する送受信機４８と、を備えている。
【００２６】
また、筐体３４の一側面３４Ａには、放射線画像撮影に関する複数の異なる機能から目的とする機能を選択する際に操作される操作部５０が設けられている。なお、操作部５０としては、電源のオン・オフを切り替える電源スイッチ、コンソール２６への画像情報の送信を指示する指示キー、電子カセッテ２０を撮影可能な状態にする撮影可能モードと電子カセッテ２０のメンテナンスを行える状態にするメンテナンスモードとを切り替えるモード選択スイッチが例示できる。また、上記の「複数の異なる機能」には、操作部５０に対する操作による制御を無効にする機能、及び操作部５０に対する操作による制御を有効にする機能が含まれる。
【００２７】
また、筐体３４の一側面３４Ａには、両端が一側面３４Ａに固着された半環状の把持部５２が操作部５０を跨ぐように設けられている。この把持部５２は、ユーザが指を掛けることで把持することができる構造となっている。
【００２８】
図３には、本第１の実施形態に係る手術台１６及び電子カセッテ２０の外観を示す斜視図が示されている。
【００２９】
同図に示すように、手術台１６は、放射線Ｘを透過させる材料で構成され、患者１４が載置される略矩形平板状の載置部５４と、載置部５４の下面の中央に立設され、載置部５４を支持する脚部５６と、を備えている。
【００３０】
載置部５４の一側面５８の一部には開口６２が形成されており、載置部５４には、電子カセッテ２０の照射面３５が載置部５４の上面６０に対して略平行となるように開口６２を介して電子カセッテ２０を収容する収容部６４が形成されている。
【００３１】
図４には、本実施形態に係る載置部５４及び電子カセッテ２０の筐体３４の構成を示す断面図が示されている。
【００３２】
同図に示すように、載置部５４の収容部６４の両側壁の各々には、一端が壁面に固定され、他端が壁面に接する半環状の板ばね６６，６８が対向するように設けられている。これに対し、電子カセッテ２０の筐体３４には、電子カセッテ２０を収容部６４に収容した際に板ばね６６，６８の各々が嵌合される溝７０，７２が形成されている。また、溝７０，７２の底には貫通孔７４が形成されている。筐体３４の内壁には、溝７０，７２に対応するようにマイクロスイッチ７６，７８が固定されている。
【００３３】
ここで、マイクロスイッチ７６，７８の構成について説明する。なお、マイクロスイッチ７６，７８は同様の構成となっているので、ここでは、マイクロスイッチ７６を例に挙げて説明する。
【００３４】
マイクロスイッチ７６は、内蔵されたリターンスプリングによって外方に突出するように付勢された押圧部７６Ａを備えている。この押圧部７６Ａは貫通孔７４に挿通されており、溝７０の底から突出している。この押圧部７６Ａをリターンスプリングの付勢力に抗して押圧することによりマイクロスイッチ７６がオンする。
【００３５】
従って、電子カセッテ２０を開口６２を介して収容部６４に挿入していくと、やがて板ばね６６が溝７０に嵌合され、板ばね６６によって押圧部７６Ａが押圧され、マイクロスイッチ７６がオンされると共に、電子カセッテ２０が収容部６４の予め定められた位置に保持される。また、把持部５２を把持して収容部６４から電子カセッテ２０を引き抜くように力を加えると、板ばね６６が弾性変形しながら溝７０から抜け出て、マイクロスイッチ７６がオフされると共に、電子カセッテ２０が収容部６４の予め定められた位置から取り外される。
【００３６】
図５には、本実施形態に係る撮影システム１０の要部構成を示すブロック図が示されている。
【００３７】
電子カセッテ２０に内蔵された放射線検出器４０は、ＴＦＴアクティブマトリクス基板９０上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線Ｘが照射されると、照射された放射線量に応じた電荷量の電荷（電子−正孔の対）を内部で発生することで、照射された放射線Ｘを電荷へ変換する。なお、放射線検出器４０は、アモルファスセレンのような放射線Ｘを直接的に電荷に変換する放射線-電荷変換材料の代わりに、蛍光体材料と光電変換素子（フォトダイオード）を用いて間接的に電荷に変換しても良い。蛍光体材料としては、ガドリニウム硫酸化物（ＧＯＳ）やヨウ化セシウム（ＣｓＩ）が良く知られている。この場合、蛍光材料によって放射線Ｘ−光変換を行い、光電変換素子のフォトダイオードによって光−電荷変換を行なう。
【００３８】
また、ＴＦＴアクティブマトリクス基板９０上には、光電変換層で発生された電荷を蓄積する蓄積容量９２と、蓄積容量９２に蓄積された電荷を読み出すためのＴＦＴ９４とを備えた画素部９６（図５では個々の画素部９６に対応する光電変換層を光電変換部９８として模式的に示している。）がマトリクス状に多数個配置されており、電子カセッテ２０への放射線Ｘの照射に伴って光電変換層で発生された電荷は、個々の画素部９６の蓄積容量９２に蓄積される。これにより、電子カセッテ２０に照射された放射線Ｘに担持されていた画像情報は電荷情報へ変換されて放射線検出器４０に保持される。
【００３９】
また、ＴＦＴアクティブマトリクス基板９０には、一定方向（行方向）に延設され個々の画素部９６のＴＦＴ９４をオンオフさせるための複数本のゲート配線１００と、ゲート配線１００と直交する方向（列方向）に延設されオンされたＴＦＴ９４を介して蓄積容量９２から蓄積電荷を読み出すための複数本のデータ配線１０２が設けられている。個々のゲート配線１００はゲート線ドライバ１０４に接続されており、個々のデータ配線１０２は信号処理部１１０に接続されている。個々の画素部９６の蓄積容量９２に電荷が蓄積されると、個々の画素部９６のＴＦＴ９４は、ゲート線ドライバ１０４からゲート配線１００を介して供給される信号により行単位で順にオンされ、ＴＦＴ９４がオンされた画素部９６の蓄積容量９２に蓄積されている電荷は、電荷信号としてデータ配線１０２を伝送されて信号処理部１１０に入力される。従って、個々の画素部９６の蓄積容量９２に蓄積されている電荷は行単位で順に読み出される。
【００４０】
図６には、本実施形態に係る放射線検出器４０の１画素部分に注目した等価回路図が示されている。
【００４１】
同図に示すように、ＴＦＴ９４のソースは、データ配線１０２に接続されており、このデータ配線１０２は、信号処理部１１０に接続されている。また、ＴＦＴ９４のドレインは蓄積容量９２及び光電変換部９８に接続され、ＴＦＴ９４のゲートはゲート配線１００に接続されている。
【００４２】
信号処理部１１０は、個々のデータ配線１０２毎にサンプルホールド回路１１２を備えている。個々のデータ配線１０２を伝送された電荷信号はサンプルホールド回路１１２に保持される。サンプルホールド回路１１２はオペアンプ１１２Ａとコンデンサ１１２Ｂを含んで構成され、電荷信号をアナログ電圧に変換する。また、サンプルホールド回路１１２にはコンデンサ１１２Ｂの両電極をショートさせ、コンデンサ１１２Ｂに蓄積された電荷を放電させるリセット回路としてスイッチ１１２Ｃが設けられている。
【００４３】
サンプルホールド回路１１２の出力側にはマルチプレクサ１１４、Ａ／Ｄ変換器１１６が順に接続されており、個々のサンプルホールド回路に保持された電荷信号はアナログ電圧に変換されてマルチプレクサ１１４に順に（シリアルに）入力され、Ａ／Ｄ変換器１１６によってデジタルの画像情報へ変換される。
【００４４】
信号処理部１１０にはラインメモリ１１８が接続されており（図５参照。）、信号処理部１１０のＡ／Ｄ変換器１１６から出力された画像情報はラインメモリ１１８に順に記憶される。ラインメモリ１１８は放射線画像を示す画像情報を所定ライン分記憶可能な記憶容量を有しており、１ラインずつ電荷の読み出しが行われる毎に、読み出された１ライン分の画像情報がラインメモリ１１８に順次記憶される。
【００４５】
ラインメモリ１１８は電子カセッテ２０全体の動作を制御するカセッテ制御部１２０と接続されている。カセッテ制御部１２０はマイクロコンピュータによって実現されており、無線通信制御部１２２が接続されている。この無線通信制御部１２２は、アンテナ２０Ａに接続されており、アンテナ２０Ａを介して外部機器との間での各種情報の伝送の制御を行う。
【００４６】
また、カセッテ制御部１２０にはマイクロスイッチ７６，７８が接続されている。従って、カセッテ制御部１２０は、マイクロスイッチ７６，７８のオン・オフを把握することができる。
【００４７】
また、カセッテ制御部１２０には操作部５０が接続されている。従って、カセッテ制御部１２０は、操作部５０に対するユーザの操作状態の把握を行うことができる。
【００４８】
更に、電子カセッテ２０は、充電可能な二次電池であるバッテリ４４を備えており、上述した各種回路や各素子(ゲート線ドライバ１０４、信号処理部１１０、ラインメモリ１１８、無線通信制御部１２２やカセッテ制御部１２０として機能するマイクロコンピュータ)は、バッテリ４４から供給された電力によって作動する。
【００４９】
一方、コンソール２６は、サーバ・コンピュータとして構成されており、操作メニューや撮影された放射線画像等を表示するディスプレイ１３６（図１も参照。）と、複数のキーを含んで構成され、各種の情報や操作指示が入力される操作パネル１４０（図１も参照。）と、を備えている。
また、コンソール２６は、装置全体の動作を司るＣＰＵ１２８と、制御プログラムを含む各種プログラム等が予め記憶されたＲＯＭ１３０と、各種データを一時的に記憶するＲＡＭ１３２と、各種データを記憶して保持するＨＤＤ（ハード・ディスク・ドライブ）１３４と、ディスプレイ１３６への各種情報の表示を制御するディスプレイドライバ１３８と、操作パネル１４０に対する操作状態を検出する操作入力検出部１４２と、アンテナ２６Ａに接続され、アンテナ２６Ａを介して放射線照射装置１８との間で曝射条件や放射線照射装置１８の状態情報等の各種情報の無線通信を行うと共に、アンテナ２６Ｂに接続され、アンテナ２６Ｂを介して電子カセッテ２０との間で画像情報等の各種情報の無線通信を行う無線通信制御部１４４と、を備えている。
【００５０】
ＣＰＵ１２８、ＲＯＭ１３０、ＲＡＭ１３２、ＨＤＤ１３４、ディスプレイドライバ１３８、操作入力検出部１４２及び無線通信制御部１４４は、システムバスＢＵＳを介して相互に接続されている。従って、ＣＰＵ１２８は、ＲＯＭ１３０、ＲＡＭ１３２、ＨＤＤ１３４へのアクセスを行うことができると共に、ディスプレイドライバ１３８を介したディスプレイ１３６への各種情報の表示の制御、操作入力検出部１４２を介した操作パネル１４０に対するユーザの操作状態の把握、無線通信制御部１４４を介した放射線照射装置１８及び電子カセッテ２０との各種情報の送受信の制御、を各々行うことができる。
【００５１】
一方、放射線照射装置１８は、放射線Ｘを出力する放射線源１５２と、アンテナ１８Ａに接続され、アンテナ１８Ａを介してコンソール２６との間で曝射条件や放射線照射装置１８の状態情報等の各種情報の無線通信を行う無線通信制御部１５４と、受信した曝射条件に基づいて放射線源１５２を制御する線源制御部１５６と、を備えている。線源制御部１５６もマイクロコンピュータによって実現されており、受信した曝射条件を記憶し、記憶した曝射条件に基づいて放射線源１５２から放射線Ｘを照射させる。
【００５２】
次に、図７を参照して、電子カセッテ２０の電源がオンされた際の電子カセッテ２０の処理ルーチンを説明する。なお、図７は、この際に電子カセッテ２０のカセッテ制御部１２０によって実行される電子カセッテ制御処理プログラムの処理の流れを示すフローチャートであり、当該プログラムはカセッテ制御部１２０を実現しているマイクロコンピュータに含まれるメモリの所定領域に予め記憶されている。
【００５３】
同図のステップ２００では、電子カセッテ２０が収容部６４の予め定められた位置に装着されるまで待機する。なお、本実施形態に係る電子カセッテ２０では、本ステップ２００の処理として、マイクロスイッチ７６，７８がオンされるまで待機する処理を適用しているが、これに限らず、例えば、マイクロスイッチ７６，７８の代わりに反射型フォトセンサを用い、当該反射型フォトセンサがオンされるまで待機する処理を適用してもよい。この場合、板ばね６６，６８に代えて板ばね６６，６８の位置に反射板を設け、反射型フォトセンサから発せられる光を当該反射板で反射させ、反射した光を反射型フォトセンサで受光する形態が例示できる。このように、電子カセッテ２０が収容部６４の予め定められた位置に装着されたこと、及び電子カセッテ２０が収容部６４の予め定められた位置から取り外されたことを検知できるセンサであれば如何なるものも適用可能である。
【００５４】
次のステップ２０２では、操作部５０に対する操作による制御を無効にする機能（操作部５０をロックする機能）が選択されるように制御を行う。これにより、操作部５０に対する入力操作が不可能となるように操作部５０がカセッテ制御部１２０によってロックされる。例えば、操作部５０がダイヤルやキー、スイッチからなる場合は、これらが機械的にロックされ、操作部５０がタッチパネルからなる場合は、当該タッチパネルが使用不可能な状態に制御される。なお、本ステップ２０２では、操作部５０に対する入力操作が不可能となるように操作部５０をロックする場合の形態例を挙げているが、操作部５０をロックせずに、操作部５０により受け付けられた入力操作を無効にするようにしてもよい。この場合、操作部５０により入力操作を受け付け、当該入力操作に応じた信号をカセッテ制御部１２０に出力させない形態、操作部５０により入力操作を受け付け、当該入力操作に応じた信号をカセッテ制御部１２０に出力し、カセッテ制御部１２０にて当該信号を無効化する形態が例示できる。このように、本ステップ２０２では、操作部５０に対する入力操作による制御が無効となるように制御が行われればよい。
【００５５】
次のステップ２０４では、電子カセッテ２０が収容部６４の予め定められた位置から取り外されるまで待機する。すなわち、マイクロスイッチ７６，７８がオフされるまで待機する。
【００５６】
次のステップ２０６では、上記ステップ２０４の処理が終了してから（電子カセッテ２０が収容部６４の予め定められた位置から取り外されてから）所定時間（ここでは、１５秒）経過するまで待機し、次のステップ２０８にて、操作部５０に対する操作による制御を有効にする機能（操作部５０のロックを解除する機能）が選択されるように制御を行った後、本電子カセッテ制御処理プログラムを終了する。上記ステップ２０８の処理により、操作部５０のロック状態がカセッテ制御部１２０によって解除される。
【００５７】
なお、本第１の実施形態に係る撮影システム１０では、電子カセッテ２０が収容部６４の予め定められた位置に装着されている間、すなわち、操作部５０がロックされている間、コンソール２６が電子カセッテ２０との間で無線通信を行うことにより撮影装置３６の作動（例えば、電子カセッテ２０の電源のオン・オフ）を制御している。
【００５８】
また、上記電子カセッテ制御処理プログラムでは、上記ステップ２０４の処理が終了してから所定時間経過するまで待機しているが、これに限らず、上記ステップ２０４の処理が終了したら上記ステップ２０６の処理を行わずに上記ステップ２０８の処理を行うようにしてもよい。また、カセッテ制御部１２０に上記電子カセッテ制御処理プログラムと上記電子カセッテ制御処理プログラムから上記ステップ２０６の処理を除いたプログラムとを保持させておき、コンソール２６を介したユーザの指示に従って何れかのプログラムを実行させてもよい。
【００５９】
以上詳細に説明したように、本第１の実施形態に係る電子カセッテ２０は、筐体３４が手術台１６の予め定められた位置に装着されたことを示す第１条件（ここでは、マイクロスイッチ７６，７８がオンされる、との条件）が成立したときに、操作部５０に対する操作による制御を無効にする機能が選択されるように制御すると共に、筐体３４が手術台１６の予め定められた位置に装着されていないことを示す第２条件（ここでは、マイクロスイッチ７６，７８がオフされる、との条件）が成立したときに、操作部５０に対する操作による制御を有効にする機能が選択されるように制御し、操作部５０が操作された際に、選択されるように制御された機能を実行するようにしたので、電子カセッテ２０が手術台１６に装着されているときの誤操作による誤作動を防止することができる。
【００６０】
また、本第１の実施形態に係る電子カセッテ２０では、カセッテ制御部１２０が所定時間延長して操作部５０に対する入力操作を不可能にするように制御を行っているので、電子カセッテ２０が手術台１６の予め定められた位置から取り外された後も予め定められた期間誤操作による誤作動を防止することができる。
【００６１】
また、本第１の実施形態に係る撮影システム１０は、電子カセッテ２０と、手術台１６の予め定められた位置に装着された電子カセッテ２０との間で撮影装置３６の作動を制御するための通信を行うコンソール２６と、を含んで構成されているので、電子カセッテ２０が手術台１６に装着されているときには操作部５０を用いずに通信により撮影装置３６の作動を制御することができる。
【００６２】
〔第２の実施形態〕
【００６３】
次に本発明の第２の実施形態を説明する。なお、本第２の実施形態に係る撮影システムの構成は、電子カセッテの一部の構成以外は上記第１の実施形態に係る撮影システム１０と同様であるので、ここでの説明は省略する。本第２の実施形態では、上記第１の実施形態と異なる部分のみ説明する。
【００６４】
図８には、本第２の実施形態に係る手術台１６及び電子カセッテ２０Ｂの外観を示す斜視図が示されている。
【００６５】
同図に示されるように、電子カセッテ２０Ｂは、上記第１の実施形態で説明した電子カセッテ２０と比較して、操作部５０に代えて操作部５０Ｂが設けられている点のみが異なっている。なお、本第２の実施形態に係る操作部５０Ｂは、１個のプッシュ式のスイッチで構成されており、放射線画像撮影に関する複数の異なる機能（本第２の実施形態では、撮影して得られた画像情報のコンソール２６への送信を実行する機能（以下、「第１機能」とも言う。）と、電源をオン・オフする機能（以下、「第２機能」とも言う。）との２つの機能）から目的とする機能を選択する際に操作される。
【００６６】
次に、図９を参照して、電子カセッテ２０Ｂの電源がオンされた際の電子カセッテ２０Ｂの処理ルーチンを説明する。なお、図９は、この際に電子カセッテ２０Ｂのカセッテ制御部１２０によって実行される電子カセッテ制御処理プログラムの処理の流れを示すフローチャートであり、当該プログラムはカセッテ制御部１２０を実現しているマイクロコンピュータに含まれるメモリの所定領域に予め記憶されている。
【００６７】
同図のステップ３００では、電子カセッテ２０が収容部６４の予め定められた位置に装着されるまで待機し、次のステップ３０２にて、第１機能が選択されるように制御を行う。これにより、操作部５０Ｂは、撮影して得られた画像情報のコンソール２６への送信を開始するための送信実行スイッチとして機能することになり、操作部５０Ｂが操作された際に、カセッテ制御部１２０によって画像情報のコンソール２６への送信が実行される。
【００６８】
次のステップ３０４では、電子カセッテ２０Ｂが収容部６４の予め定められた位置から取り外されるまで待機し、次のステップ３０６にて、上記ステップ３０４の処理が終了してから（電子カセッテ２０が収容部６４の予め定められた位置から取り外されてから）所定時間（ここでは、１５秒）経過するまで待機する。
【００６９】
次のステップ３０８では、第２機能が選択されるように制御を行った後、本電子カセッテ制御処理プログラムを終了する。上記ステップ３０８の処理により、操作部５０Ｂは、電源をオン・オフするための電源スイッチとして機能することになり、操作部５０Ｂが操作された際に、カセッテ制御部１２０によって電源のオン・オフの切り替えが実行される。
【００７０】
なお、本第２の実施形態では、電子カセッテ２０Ｂが収容部６４の予め定められた位置に装着されている間、すなわち、操作部５０Ｂが送信実行スイッチとして機能している間、コンソール２６が電子カセッテ２０との間で無線通信を行うことにより撮影装置３６の作動（例えば、電子カセッテ２０の電源のオン・オフ）を制御している。
【００７１】
以上詳細に説明したように、本第２の実施形態に係る電子カセッテ２０Ｂは、筐体３４が手術台１６の予め定められた位置に装着されたことを示す第１条件（ここでは、マイクロスイッチ７６，７８がオンされる、との条件）が成立したときに、第１条件が成立しているときに有効とすべき機能（ここでは、撮影して得られた画像情報のコンソール２６への送信を実行する機能）が選択されるように制御すると共に、筐体３４が手術台１６の予め定められた位置に装着されていないことを示す第２条件（ここでは、マイクロスイッチ７６，７８がオフされる、との条件）が成立したときに、第２条件が成立しているときに有効とすべき機能（ここでは、電源をオン・オフする機能）が選択されるように制御し、操作部５０が操作された際に、選択されるように制御された機能を実行するようにしたので、電子カセッテ２０が手術台１６に装着されているときの誤操作による誤作動を防止することができる。
【００７２】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【００７３】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明を抽出できる。上記各実施形態に示される全構成要件から幾つかの構成要件が削除されても、効果が得られる限りにおいて、この幾つかの構成要件が削除された構成が発明として抽出され得る。
【００７４】
例えば、上記第１の実施形態では、電子カセッテ２０が手術台１６の収容部６４の予め定められた位置に装着された際に操作部５０に対する入力操作が不可能となるように操作部５０をロックする場合の形態例を挙げて説明したが、本発明はこれに限定されるものではなく、例えば、電子カセッテ２０が手術台１６の載置台５４の上面６０の予め定められた位置に載置された際に操作部５０に対する入力操作が不可能となるように操作部５０をロックしてもよい。
【００７５】
また、上記第２の実施形態では、第１機能として、撮影して得られた画像情報のコンソール２６への送信を実行する機能を、第２機能として、電源をオン・オフする機能を適用した場合の形態例に挙げて説明したが、本発明はこれに限定されるものではなく、筐体３４が手術台１６の予め定められた位置に装着されているときに操作部５０Ｂが操作されることにより実行されても撮影に支障がない機能を第１機能とし、筐体３４が手術台１６の予め定められた位置に装着されていないときに操作部５０Ｂが操作されることにより実行されても撮影に支障がない機能を第２機能とすれば如何なる機能も第１，第２機能として適用可能である。
【００７６】
また、上記第２の実施形態では、操作部５０Ｂが１個のプッシュ式のスイッチで構成された場合の形態例を挙げて説明したが、本発明はこれに限定されるものではなく、上記第１の実施形態で説明した操作部５０のように複数のスイッチで構成されていてもよい。この場合、第１条件または第２の条件が成立したときに、複数のスイッチのうちの少なくとも１つのスイッチの機能のみが変更されればよい。
【００７７】
また、上記各実施形態では、手術台１６の収容部６４に電子カセッテ２０，２０Ｂが装着された場合の形態例を挙げて説明したが、本発明はこれに限定されるものではなく、電子カセッテ２０，２０Ｂの充電を行うためのクレードルや電子カセッテ２０，２０Ｂを保管するための保管箱の所定載置部に電子カセッテ２０，２０Ｂが載置された場合であっても本発明を適用できる。なお、クレードルに電子カセッテ２０，２０Ｂが載置されたか否かの判断は、例えば、コンソール２６との間で通信が確立されたか否か、充電が開始されたか否かを判断することにより行われるようにしてもよい。
【００７８】
また、上記各実施形態では、本発明の撮影台として手術室で使用される手術台１６を適用した場合の形態例を挙げて説明したが、本発明はこれに限定されるものではなく、例えば、放射線画像の撮影を専門に行う部屋で使用される撮影台であってもよく、放射線画像を撮影する際に用いられる撮影台であればよい。
【００７９】
その他、上記各実施形態で説明した撮影システム１０の構成（図１、図３、図４及び図５を参照。）及び電子カセッテ２０，２０Ｂの構成（図２、図５、図６及び図８を参照。）は一例であり、本発明の主旨を逸脱しない範囲内において状況に応じて変更可能であることは言うまでもない。
【００８０】
また、上記各実施形態で説明したプログラムの処理の流れ（図７及び図９を参照。）も一例であり、本発明の主旨を逸脱しない範囲内において不要なステップを削除したり、新たなステップを追加したり、処理順序を入れ替えたりすることができることは言うまでもない。
【図面の簡単な説明】
【００８１】
【図１】実施形態に係る撮影システムが設置された手術室の様子を示す図である。
【図２】第１の実施形態に係る電子カセッテの構成を示す破断斜視図である。
【図３】第１の実施形態に係る手術台及び電子カセッテの外観を示す斜視図である。
【図４】第１の実施形態に係る載置部及び電子カセッテの筐体の構成を示す断面図である。
【図５】実施形態に係る撮影システムの要部構成を示すブロック図である。
【図６】実施形態に係る放射線検出器の１画素部分に注目した等価回路図である。
【図７】第１の実施形態に係る電子カセッテ制御処理プログラムの処理の流れを示すフローチャートである。
【図８】第２の実施形態に係る手術台及び電子カセッテの外観を示す斜視図である。
【図９】第２の実施形態に係る電子カセッテ制御処理プログラムの処理の流れを示すフローチャートである。
【符号の説明】
【００８２】
１０  放射線画像撮影システム
１８  放射線照射装置
２０，２０Ｂ  電子カセッテ
２６  コンソール（通信装置）
５０，５０Ｂ  操作部（操作手段）
１２０  カセッテ制御部（制御手段、実行手段）
【図１】
2010128469.tif 000003
【図２】
2010128469.tif 000004
【図３】
2010128469.tif 000005
【図４】
2010128469.tif 000006
【図５】
2010128469.tif 000007
【図６】
2010128469.tif 000008
【図７】
2010128469.tif 000009
【図８】
2010128469.tif 000010
【図９】
2010128469.tif 000011